(57)【要約】  【課題】  現状見ているチャンネルの番組一覧、および次の番組の放送予定をリアルタイムに閲覧できるようにし、また、番組変更が行われても対応できるようにしたデジタル放送受信装置を提供することを目的とする  【解決手段】  選局したチャンネルのテレビ放送信号のＶＢＩ内に番組情報が有ると判定されたときに、番組情報は一時的にメモリに格納される。番組一覧表示設定されている場合には、メモリから番組情報が読み出され、表示画面の所定領域の画面に番組の放送開始時刻と放送終了時刻と番組名とＧコードとを含む情報を示す番組一覧画面が表示される。所定時間経過時の番組情報が新たにメモリに格納される。そして、メモリ内の両番組情報が異なるときには、番組一覧表示させる番組情報は前記新たな番組情報に更新される。【選択図】      図３
2007020081.tif 000002
【特許請求の範囲】
【請求項１】
映像データと音声データと番組情報とが多重化されて送信されてきたテレビ放送信号を
受信して、所望のチャンネルを選択し、そのチャンネルの映像信号および音声信号を出力
すると共に、前記番組情報に基づき電子番組案内表を表示させる番組情報案内機能を有す
るデジタル放送受信装置において、前記テレビ放送信号のＶＢＩ（Vertical Blanking In
terval）内に番組情報が有るか否を判定する番組情報判定手段と、前記番組情報が有ると
判定されたときに前記番組情報を一時的にメモリに格納する第１の番組情報格納手段と、
番組一覧表示設定されている場合に、前記メモリから番組情報を読み出して表示画面の所
定領域の画面に番組の放送開始時刻と放送終了時刻と番組名とＧコードとを含む情報を示
す番組一覧画面を表示させる番組一覧画面表示手段と、所定時間経過時に番組情報を新た
に前記メモリに格納する第２の番組情報格納手段と、前記第１の番組情報格納手段により
前記メモリに格納された番組情報と前記第２の番組情報格納手段により前記メモリに格納
された新たな番組情報とを比較する番組情報比較手段と、前記比較により両者が異なると
きに前記番組一覧表示させる番組情報を前記新たな番組情報に更新する番組情報更新手段
と、番組一覧表示設定されていない場合に、前記比較により両者が異なることを検出した
ときに、前の番組情報を新たな番組情報に更新させて番組一覧画面を表示画面に表示させ
る番組情報更新表示手段とを有するシステム制御部を備えたことを特徴とするデジタル放
送受信装置。
【請求項２】
映像データと音声データと番組情報とが多重化されて送信されてきたテレビ放送信号を
受信して、所望のチャンネルを選択し、そのチャンネルの映像信号および音声信号を出力
すると共に、前記番組情報に基づき電子番組案内表を表示させる番組情報案内機能を有す
るデジタル放送受信装置において、前記テレビ放送信号のＶＢＩ内に番組情報が有り、番
組一覧表示設定されている場合には、前記番組情報に基いて表示画面の所定領域の画面に
番組の放送開始時刻と放送終了時刻と番組名とＧコードとを含む情報を示す番組一覧画面
を表示させ、所定時間経過時に前記番組情報が変更されていた場合に、前記番組一覧画面
の番組情報を新たな番組情報に更新し、番組一覧表示設定されていない場合には、前記番
組情報の更新があったことを検出したときに、更新された番組情報を示す番組一覧画面を
表示画面に表示させるシステム制御部を備えたことを特徴とするデジタル放送受信装置。
【請求項３】
前記システム制御部は、前記テレビ放送信号のＶＢＩ内に番組情報が有るか否を判定す
る番組情報判定手段と、前記番組情報が有ると判定され、番組一覧表示設定されている場
合に、前記番組情報に基いて表示画面の所定領域の画面に番組の放送開始時刻と放送終了
時刻と番組名とＧコードとを含む情報を示す番組一覧画面を表示させる番組一覧画面表示
手段と、所定時間経過時の新たな番組情報と前の番組情報とを比較する番組情報比較手段
と、前記比較により両者が異なるときに前記番組一覧表示させる番組情報を前記新たな番
組情報に更新する番組情報更新手段とを有することを特徴とする請求項２に記載のデジタ
ル放送受信装置。
【請求項４】
前記システム制御部は、前記テレビ放送信号のＶＢＩ内に番組情報が有るか否を判定す
る番組情報判定手段と、前記番組情報が有ると判定された場合で、所定時間経過時の新た
な番組情報と前の番組情報とを比較する番組情報比較手段と、前記比較により両者が異な
るときに番組一覧表示させる番組情報を前記新たな番組情報に更新する番組情報更新手段
と、番組一覧表示設定されていない場合に、前記比較により両者が異なることを検出した
ときに、前記番組一覧画面の番組情報を新たな番組情報に更新させる番組情報更新表示手
段とを有することを特徴とする請求項２に記載のデジタル放送受信装置。
【請求項５】
前記システム制御部は、前記テレビ放送信号のＶＢＩ内に番組情報が有るか否を判定す
る番組情報判定手段と、前記番組情報が有ると判定されたときに前記番組情報を一時的に
メモリに格納する第１の番組情報格納手段と、番組一覧表示設定されている場合に、前記
メモリから番組情報を読み出して表示画面の所定領域の画面に番組の放送開始時刻と放送
終了時刻と番組名とＧコードとを含む情報を示す番組一覧画面を表示させる番組一覧画面
表示手段と、所定時間経過時に番組情報を新たに前記メモリに格納する第２の番組情報格
納手段と、前記第１の番組情報格納手段により前記メモリに格納された番組情報と前記第
２の番組情報格納手段により前記メモリに格納された新たな番組情報とを比較する番組情
報比較手段と、前記比較により両者が異なるときに前記番組一覧表示させる番組情報を前
記新たな番組情報に更新する番組情報更新手段と、番組一覧表示設定されていない場合に
、前記比較により両者が異なることを検出したときに、前の番組情報を新たな番組情報に
更新させて番組一覧画面を表示画面に表示させる番組情報更新表示手段とを有することを
特徴とする請求項２に記載のデジタル放送受信装置。
【発明の詳細な説明】
【技術分野】
【０００１】
本発明は、例えば、ＢＳ（Broadcasting Satellite）デジタル放送やＣＳ（Communicat
ion Satellite）デジタル放送において、番組選択や録画予約を行うために表示される番
組情報案内機能を備えたデジタル放送受信装置に関する。
【背景技術】
【０００２】
近年、デジタル技術の発達により放送の分野でもデジタル信号を用いた放送が可能にな
り、広く実用化されてきている。従来のアナログ放送においては、一つの周波数帯域に一
つのチャンネルしか割り当てることができなかったが、デジタル放送ではＭＰＥＧ２のデ
ジタル圧縮技術を利用することにより、一つの周波数帯域に複数のチャンネルを割り当て
ることができるようになった。
【０００３】
そのため、デジタル放送では、多チャンネル化が進み、新聞や雑誌などの印刷物に掲載
される番組表では充分な情報を得られなくなった。そこで、デジタル放送受信装置にＥＰ
Ｇ（Electronic Program Guide）と呼ばれる電子番組案内表を表示させる機能を備え、ユ
ーザがテレビ画面上で番組検索や選択ならびに録画予約などを容易に行うことができるよ
うにしている。
【０００４】
このＥＰＧとは、それぞれの放送局から伝送される映像データや音声データに多重化さ
れた番組情報などのデータを受信装置で受信し、この受信データに基いて番組表を作成し
てテレビ画面上に表示する機能である。現在のデジタル放送では、一般的に、映像データ
、音声データ、クロックリファレンス（時刻情報）、番組特定情報（ＰＳＩ；Program Sp
ecific Information）／番組配列情報（ＳＩ；Service Information）などのデジタル信
号が多重化されて伝送されるが、このうちのＰＳＩ／ＳＩ信号に基いて電子番組案内表が
生成される。
【０００５】
ところで、従来のデジタル放送受信装置では、電子番組案内表をテレビ受信機の専用画
面で表示させるか、または現在表示中の番組映像の大部分に電子番組案内表を重ねて表示
させる場合が多く、表示画面の殆どの領域を電子番組案内表が占有してしまうので、番組
映像を視聴しながら電子番組案内表を利用するのは困難であった。
【０００６】
そこで、特許文献１のデジタル放送受信装置のような従来技術では、１または２以上の
番組情報からなる番組案内データを表示画面の一部に、番組映像の視聴を妨げることなく
、少ない操作で番組選択や録画予約をすることができる電子番組案内を表示できるように
している。
【特許文献１】特開２００２−２７１７１０号公報
【特許文献２】特開２００３−９０２９号公報
【特許文献３】特開２００２−３１４９１４号公報
【発明の開示】
【発明が解決しようとする課題】
【０００７】
しかしながら、前述した従来のデジタル放送受信装置により表示される電子番組案内表
（ＥＰＧ）では、新聞のテレビ番組欄と同様リアルタイムに対応できず、そのため、急な
番組変更が入った際には対応できないという課題があった。また、特許文献１のデジタル
放送受信装置では、１または２以上の番組情報からなる番組案内データを表示画面の一部
に、番組映像の視聴を妨げることなく、電子番組案内を表示できるようにしているが、こ
の従来技術も、急な番組変更が入った際には対応できないという課題があった。
【０００８】
なお、特許文献２の従来技術は、デジタル放送受信装置および番組情報提示方法に関し
、特に、イベント共有の行われる放送における番組の情報提示に関するものであり、上記
課題を解決できるものではない。また、特許文献３の従来技術は、現在再生している番組
の次回放送分以降の録画予約が容易にできるデジタル放送記録再生装置であり、この従来
技術も、上記課題を解決できるものではない。
【０００９】
本発明は、上記のような課題を解決するためになされたもので、現状見ているチャンネ
ルの番組一覧、および次の番組の放送予定をリアルタイムに閲覧できるようにし、また、
番組変更が行われても対応できるようにしたデジタル放送受信装置を提供することを目的
とする。
【課題を解決するための手段】
【００１０】
上記目的を達成するために、請求項１の発明は、映像データと音声データと番組情報と
が多重化されて送信されてきたテレビ放送信号を受信して、所望のチャンネルを選択し、
そのチャンネルの映像信号および音声信号を出力すると共に、前記番組情報に基づき電子
番組案内表を表示させる番組情報案内機能を有するデジタル放送受信装置において、前記
テレビ放送信号のＶＢＩ内に番組情報が有るか否を判定する番組情報判定手段と、前記番
組情報が有ると判定されたときに前記番組情報を一時的にメモリに格納する第１の番組情
報格納手段と、番組一覧表示設定されている場合に、前記メモリから番組情報を読み出し
て表示画面の所定領域の画面に番組の放送開始時刻と放送終了時刻と番組名とＧコードと
を含む情報を示す番組一覧画面を表示させる番組一覧画面表示手段と、所定時間経過時に
番組情報を新たに前記メモリに格納する第２の番組情報格納手段と、前記第１の番組情報
格納手段により前記メモリに格納された番組情報と前記第２の番組情報格納手段により前
記メモリに格納された新たな番組情報とを比較する番組情報比較手段と、前記比較により
両者が異なるときに前記番組一覧表示させる番組情報を前記新たな番組情報に更新する番
組情報更新手段と、番組一覧表示設定されていない場合に、前記比較により両者が異なる
ことを検出したときに、前の番組情報を新たな番組情報に更新させて番組一覧画面を表示
画面に表示させる番組情報更新表示手段とを有するシステム制御部を備えたことを特徴と
するデジタル放送受信装置を提供する。
【００１１】
この構成において、選局したチャンネルのテレビ放送信号のＶＢＩ内に番組情報が有る
と番組情報判定手段により判定されたときに、前記番組情報は第１の番組情報格納手段に
より一時的にメモリに格納される。番組一覧表示設定されている場合には、番組一覧画面
表示手段により、前記メモリから番組情報が読み出され、表示画面の所定領域の画面に番
組の放送開始時刻と放送終了時刻と番組名とＧコードとを含む情報を示す番組一覧画面が
表示される。
【００１２】
第２の番組情報格納手段により、所定時間経過時の番組情報が新たに前記メモリに格納
される。そして、前記第１の番組情報格納手段により前記メモリに格納された番組情報と
前記第２の番組情報格納手段により前記メモリに格納された新たな番組情報とが番組情報
比較手段により比較される。前記比較により両者が異なるときには、前記番組一覧表示さ
せる番組情報は、番組情報更新手段により前記新たな番組情報に更新される。
【００１３】
一方、番組一覧表示設定されていない場合には、前記比較により両者が異なることを検
出したときに、番組情報更新表示手段により、前の番組情報が新たな番組情報に更新され
て、新たな番組情報の番組一覧画面が表示画面に表示される。
【００１４】
この構成によれば、現状見ているチャンネルの番組一覧、および次の番組の放送予定を
リアルタイムに閲覧できるようになり、また、番組変更が行われても対応できる。即ち、
従来からの電子番組案内表に比べて情報量が少なく、リアルタイムに番組一覧画面を更新
できるため、常に最新の番組一覧が入手可能になる。また、情報量が少ないため、番組変
更が行われた場合、自動的に画面表示しても画面占有量が少なくて済み、本来の映像を妨
げることなく、映像を楽しむことができる。
【００１５】
請求項２の発明は、映像データと音声データと番組情報とが多重化されて送信されてき
たテレビ放送信号を受信して、所望のチャンネルを選択し、そのチャンネルの映像信号お
よび音声信号を出力すると共に、前記番組情報に基づき電子番組案内表を表示させる番組
情報案内機能を有するデジタル放送受信装置において、前記テレビ放送信号のＶＢＩ内に
番組情報が有り、番組一覧表示設定されている場合には、前記番組情報に基いて表示画面
の所定領域の画面に番組の放送開始時刻と放送終了時刻と番組名とＧコードとを含む情報
を示す番組一覧画面を表示させ、所定時間経過時に前記番組情報が変更されていた場合に
、前記番組一覧画面の番組情報を新たな番組情報に更新し、番組一覧表示設定されていな
い場合には、前記番組情報の更新があったことを検出したときに、更新された番組情報を
示す番組一覧画面を表示画面に表示させるシステム制御部を備えたことを特徴とするデジ
タル放送受信装置を提供する。
【００１６】
この構成において、前記テレビ放送信号のＶＢＩ内に番組情報が有り、番組一覧表示設
定されている場合には、前記番組情報に基いて表示画面の所定領域の画面に、番組の放送
開始時刻と放送終了時刻と番組名とＧコードとを含む情報を示す番組一覧画面が表示され
る。所定時間経過時に前記番組情報が変更されていた場合に、前記番組一覧画面の番組情
報が新たな番組情報に更新される。番組一覧表示設定されていない場合には、前記番組情
報の更新があったことが検出されたときには、更新された番組情報を示す番組一覧画面が
表示画面に表示される。
【００１７】
この構成によれば、現状見ているチャンネルの番組一覧、および次の番組の放送予定を
リアルタイムに閲覧できるようになり、また、番組変更が行われても対応できる。即ち、
従来からの電子番組案内表に比べて情報量が少なく、リアルタイムに番組一覧画面を更新
できるため、常に最新の番組一覧が入手可能になる。また、情報量が少ないため、番組変
更が行われた場合、自動的に画面表示しても画面占有量が少なくて済み、本来の映像を妨
げることなく、映像を楽しむことができる。
【００１８】
請求項３の発明では、請求項２の発明において、前記システム制御部は、前記テレビ放
送信号のＶＢＩ内に番組情報が有るか否を判定する番組情報判定手段と、前記番組情報が
有ると判定され、番組一覧表示設定されている場合に、前記番組情報に基いて表示画面の
所定領域の画面に番組の放送開始時刻と放送終了時刻と番組名とＧコードとを含む情報を
示す番組一覧画面を表示させる番組一覧画面表示手段と、所定時間経過時の新たな番組情
報と前の番組情報とを比較する番組情報比較手段と、前記比較により両者が異なるときに
前記番組一覧表示させる番組情報を前記新たな番組情報に更新する番組情報更新手段とを
有する。
【００１９】
したがって、前記システム制御部は、番組情報判定処理、番組一覧画面表示処理、番組
情報比較処理、および番組情報更新処理を実現でき、これにより、表示画面の所定領域の
画面に番組の放送開始時刻と放送終了時刻と番組名とＧコードとを含む情報を示す番組一
覧画面を表示することができ、所定時間経過時に番組情報が変更されれば、前記番組一覧
表示させる番組情報を、新たな番組情報に更新することが可能になる。
【００２０】
請求項４の発明では、請求項２の発明において、前記システム制御部は、前記テレビ放
送信号のＶＢＩ内に番組情報が有るか否を判定する番組情報判定手段と、前記番組情報が
有ると判定された場合で、所定時間経過時の新たな番組情報と前の番組情報とを比較する
番組情報比較手段と、前記比較により両者が異なるときに番組一覧表示させる番組情報を
前記新たな番組情報に更新する番組情報更新手段と、番組一覧表示設定されていない場合
に、前記比較により両者が異なることを検出したときに、前記番組一覧画面の番組情報を
新たな番組情報に更新させる番組情報更新表示手段とを有する。
【００２１】
したがって、前記システム制御部は、番組情報判定処理、番組情報比較処理、番組情報
更新処理、および番組情報更新表示処理を実現でき、これにより、番組一覧表示設定され
ていない場合には、所定時間経過時に番組情報が変更されれば、新たな番組情報に更新し
て番組一覧画面を表示画面に表示することが可能になる。
【００２２】
請求項５の発明では、請求項２の発明において、前記システム制御部は、前記テレビ放
送信号のＶＢＩ内に番組情報が有るか否を判定する番組情報判定手段と、前記番組情報が
有ると判定されたときに前記番組情報を一時的にメモリに格納する第１の番組情報格納手
段と、番組一覧表示設定されている場合に、前記メモリから番組情報を読み出して表示画
面の所定領域の画面に番組の放送開始時刻と放送終了時刻と番組名とＧコードとを含む情
報を示す番組一覧画面を表示させる番組一覧画面表示手段と、所定時間経過時に番組情報
を新たに前記メモリに格納する第２の番組情報格納手段と、前記第１の番組情報格納手段
により前記メモリに格納された番組情報と前記第２の番組情報格納手段により前記メモリ
に格納された番組情報とを比較する番組情報比較手段と、前記比較により両者が異なると
きに前記番組一覧表示させる番組情報を前記新たな番組情報に更新する番組情報更新手段
と、番組一覧表示設定されていない場合に、前記比較により両者が異なることを検出した
ときに、前の番組情報を新たな番組情報に更新させて番組一覧画面を表示画面に表示させ
る番組情報更新表示手段とを有する。
【００２３】
したがって、前記システム制御部は、番組情報判定処理、番組一覧画面表示処理、番組
情報比較処理、および番組情報更新処理を実現でき、これにより、表示画面の所定領域の
画面に番組の放送開始時刻と放送終了時刻と番組名とＧコードとを含む情報を示す番組一
覧画面を表示することができ、所定時間経過時に番組情報が変更されれば、前記番組一覧
表示させる番組情報を、新たな番組情報に更新することが可能になる。また、前記システ
ム制御部は、番組情報判定処理、番組情報比較処理、番組情報更新処理、および番組情報
更新表示処理を実現でき、これにより、番組一覧表示設定されていない場合には、所定時
間経過時に番組情報が変更されれば、新たな番組情報に更新して番組一覧画面を表示画面
に表示することが可能になる。
【発明の効果】
【００２４】
以上のように本発明によれば、テレビ放送信号のＶＢＩ内に番組情報が有るか否を判定
する番組情報判定手段と、前記番組情報が有ると判定されたときに前記番組情報を一時的
にメモリに格納する第１の番組情報格納手段と、番組一覧表示設定されている場合に、前
記メモリから番組情報を読み出して表示画面の所定領域の画面に番組の放送開始時刻と放
送終了時刻と番組名とＧコードとを含む情報を示す番組一覧画面を表示させる番組一覧画
面表示手段と、所定時間経過時に番組情報を新たに前記メモリに格納する第２の番組情報
格納手段と、前記第１の番組情報格納手段により前記メモリに格納された番組情報と前記
第２の番組情報格納手段により前記メモリに格納された番組情報とを比較する番組情報比
較手段と、前記比較により両者が異なるときに前記番組一覧表示させる番組情報を前記新
たな番組情報に更新する番組情報更新手段と、番組一覧表示設定されていない場合に、前
記比較により両者が異なることを検出したときに、前の番組情報を新たな番組情報に更新
させて番組一覧画面を表示画面に表示させる番組情報更新表示手段とを有するシステム制
御部を備えたので、現状見ているチャンネルの番組一覧、および次の番組の放送予定をリ
アルタイムに閲覧できるようになり、また、番組変更が行われても対応できる。即ち、従
来からの電子番組案内表に比べて情報量が少なく、リアルタイムに番組一覧画面を更新で
きるため、常に最新の番組一覧が入手可能になる。また、情報量が少ないため、番組変更
が行われた場合、自動的に画面表示しても画面占有量が少なくて済み、本来の映像を妨げ
ることなく、映像を楽しむことができる。
【００２５】
また、本発明によれば、テレビ放送信号のＶＢＩ内に番組情報が有り、番組一覧表示設
定されている場合には、前記番組情報に基いて表示画面の所定領域の画面に番組の放送開
始時刻と放送終了時刻と番組名とＧコードとを含む情報を示す番組一覧画面を表示させ、
所定時間経過時に前記番組情報が変更されていた場合に、前記番組一覧画面の番組情報を
新たな番組情報に更新し、番組一覧表示設定されていない場合には、前記番組情報の更新
があったことを検出したときに、更新された番組情報を示す番組一覧画面を表示画面に表
示させるシステム制御部を備えたので、現状見ているチャンネルの番組一覧、および次の
番組の放送予定をリアルタイムに閲覧できるようになり、また、番組変更が行われても対
応できる。即ち、従来からの電子番組案内表に比べて情報量が少なく、リアルタイムに番
組一覧画面を更新できるため、常に最新の番組一覧が入手可能になる。また、情報量が少
ないため、番組変更が行われた場合、自動的に画面表示しても画面占有量が少なくて済み
、本来の映像を妨げることなく、映像を楽しむことができる。
【発明を実施するための最良の形態】
【００２６】
以下、添付図面を参照しつつ、本発明の実施の形態について説明する。図１は本発明の
一実施形態に係るデジタル放送受信装置の構成を示すブロック図である。
【００２７】
このデジタル放送受信装置（ＢＳチューナ）１００は、テレビ放送電波を受信するアン
テナ１１１、受信した放送電波の中から所望のチャンネルの放送電波を選局するチューナ
部１１２、このチューナ部１１２から出力された映像音声データの復調および誤りの訂正
処理を行う復調・誤り訂正部１１３、映像データと音声データと番組情報のデータとが多
重化されているデジタル放送信号から各データを分離抽出するデマルチプレクサ１１５、
復調されたデジタル放送信号に付加されている不正視聴防止用のスクランブル信号を解除
するデスクランブラ１１４、およびデジタル圧縮された音声データをアナログ音声信号に
デコードする音声デコーダ１１９を備えている。
【００２８】
また、このデジタル放送受信装置１００は、デジタル圧縮された映像データを展開して
ＲＧＢ信号にデコードする映像デコーダ１２０、この映像デコーダ１２０から出力される
ＲＧＢ信号を１フレーム分格納するフレームメモリ１２１、ＲＧＢ信号を例えばコンポジ
ット映像信号にダウンコンバートする信号変換回路１２２、デマルチプレクサ１１５によ
り分離された番組情報を復調する番組情報復調部１１７、番組情報などが記録されるメモ
リ（ＩＣカードでも良い）１１６、前記番組情報に基づいてテレビ受信機の表示画面に表
示する電子番組案内表データを作成するＯＳＤ（オン・スクリーン・ディスプレイ）処理
部１１８、上記の各ブロック（各構成要素）の制御を行うシステム制御部１２３と、およ
びシステム制御部１２３に操作信号を入力する本体前面に設けたれた操作パネルやリモコ
ンなどの操作部１２４とを備えている。
【００２９】
システム制御部１２３は、テレビ放送信号のＶＢＩ内に番組情報が有るか否を判定する
番組情報判定手段と、前記番組情報が有ると判定されたときに前記番組情報を一時的にメ
モリ１１６に格納する第１の番組情報格納手段と、番組一覧表示設定されている場合に、
前記メモリ１１６から番組情報を読み出して表示画面の所定領域の画面に番組の放送開始
時刻と放送終了時刻と番組名とＧコードとを含む情報を示す番組一覧画面を表示させる番
組一覧画面表示手段と、所定時間経過時に番組情報を新たに前記メモリ１１６に格納する
第２の番組情報格納手段と、前記第１の番組情報格納手段により前記メモリ１１６に格納
された番組情報と前記第２の番組情報格納手段により前記メモリ１１６に格納された新た
な番組情報とを比較する番組情報比較手段と、前記比較により両者が異なるときに前記番
組一覧表示させる番組情報を前記新たな番組情報に更新する番組情報更新手段と、番組一
覧表示設定されていない場合に、前記比較により両者が異なることを検出したときに、前
の番組情報を新たな番組情報に更新させて番組一覧画面を表示画面に表示させる番組情報
更新表示手段とを有する。
【００３０】
このように構成されたデジタル放送受信装置において、操作部１２４からのチャンネル
選択の入力操作に従って、システム制御部１２３がデスクランブラ１１４やデマルチプレ
クサ１１５に制御信号を出力し、その制御信号に基づきデスクランブラ１１４やデマルチ
プレクサ１１５で選択チャンネルの信号が抽出され、選択チャンネルのデジタル圧縮信号
が音声デコーダ１１９および映像デコーダ１２０でデコードされて、その選択チャンネル
の音声信号および映像信号がテレビ受信機などに出力される。
【００３１】
なお、視聴契約が必要な有料チャンネルに関しては、デスクランブラ１１４にて選択チ
ャンネルの信号をデスクランブルする際にメモリ１１６から視聴契約情報が読み出され、
視聴契約が結ばれている場合だけ正常にデスクランブルが実行され、視聴が可能となる。
【００３２】
図２は図１で示したデジタル放送受信装置１００を搭載した光ディスク記録再生装置（
ＤＶＤレコーダ）の構成を示すブロック図である。
【００３３】
この光ディスク記録再生装置は、装置全体を制御するシステムコントローラ２２と、光
ディスク（ＤＶＤ等）２９を回転させるスピンドルモータ５と、このスピンドルモータ５
を駆動させるモータ駆動回路３４と、光ディスク１に対して情報の書き込み／読み出しを
光学的に行う光ピックアップ２と、この光ピックアップ２を光ディスク１の半径方向に移
動させるためのスレッド３と、システムコントローラ２２の指示に応じてモータ駆動回路
３４を介してスピンドルモータ５を駆動したりスレッド３を駆動したりすると共に光ピッ
クアップ２に内蔵された対物レンズ（図示せず）を動かすことによりレーザ光の焦点位置
を光ディスク１の記録面に対して垂直方向および水平方向に移動させる制御を行うサーボ
制御部４とを備えている。
【００３４】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをバッファメモリとしてのＲＡＭ７に
格納するデジタル信号処理部８と、システムコントローラ２２の指示に応じてデジタル信
号処理部８から出力されたデータストリームの中からオーディオデータとサブピクチャデ
ータとビデオデータとを分離するストリーム分離部９とを備えている。
【００３５】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力してＭＰＥＧでデコード処理を行うビデオデコーダ１５と、このビデオデ
コーダ１５でのデコード処理を行うためにデータを一時的に格納するＲＡＭ１４とを備え
ている。
【００３６】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用の映像信号に変換して、その映像信号を例えばテレビ受信機２０の映像回路
に供給するビデオエンコーダ１８と、オーディオデコーダ１１から出力されたデータをア
ナログのオーディオ信号に変換して、そのオーディオ信号を例えばテレビ受信機２０の音
声回路に供給するＤ／Ａ変換器１６とを備えている。
【００３７】
なお、信号切換回路１９は、ビデオモード時においてデジタル放送受信装置１００から
の映像信号および音声信号を直接テレビ受信機２０に供給したり、ビデオモードに設定し
た後、再生モード時に光ディスク１から再生された映像信号および音声信号をテレビ受信
機２０に供給したりするのを切り換える回路であり、操作部２１の操作信号に応答したシ
ステムコントローラ２２により制御される。
【００３８】
また、この光ディスク記録再生装置は、システムコントローラ２２に対して、記録指示
を与えるための記録キー、再生指示を与えるための再生キー、記録や再生の停止指示を与
えるための停止キーなど、各種操作キーを有するリモコンなどの操作部２１を備えている
。また、この光ディスク記録再生装置は、装置の各構成要素を制御したり、装置全体を制
御したりするためのプログラムやデータが記憶されたフラッシュＲＯＭ２３と、このフラ
ッシュＲＯＭ２３のプログラムやデータに従って演算処理を行いシステムコントローラ２
２を制御するＣＰＵ２４と、このＣＰＵ２４の演算処理に必要なデータを一時的に格納す
るＲＡＭ２７とを備えている。
【００３９】
また、この光ディスク記録再生装置は、アンテナ２８に接続されるデジタル放送受信装
置（ＢＳチューナ）１００と、このデジタル放送受信装置１００で選局されたテレビジョ
ン放送の映像音声信号、あるいは他の映像音声出力機器からの映像音声信号をデジタルの
映像音声データに変換するＡ／Ｄ変換回路３０と、前記映像音声データをＭＰＥＧでエン
コードするエンコーダ３１と、前記エンコードした映像音声データ（エンコードデータ）
を一時的に所定量だけ格納するバッファメモリとしてのＲＡＭ３２と、記録データ変調回
路２５と接続するインターフェースであるＡＴＡＰＩ（AT Attachment Packet Interface
）３３と、このＡＴＡＰＩ３３から送られてきたエンコードデータを光ディスク１に記録
するために変調をかける記録データ変調回路２５と、この記録データ変調回路２５により
変調された変調データに基づいて光ピックアップ２から出射するレーザ光を変調させるた
めのレーザ変調信号を光ピックアップ２に出力するレーザ変調回路２６とを備えている。
【００４０】
なお、図２に示すシステムコントローラ２２に、図１に示すシステム制御部２３の機能
を持たせれば、デジタル放送受信装置１００におけるシステム制御部２３は不要となる。
また、図１に示す操作部１２４は、図２に示す操作部２１により代用できるようにすれば
、操作部１２４は不要となる。
【００４１】
図３は本実施形態において例えばテレビ受信機の表示画面に表示される番組一覧画面を
説明するための図である。図３において、２０１は表示画面を示し、２０２は表示画面２
０１に表示された番組一覧画面を示す。この番組一覧画面２０２では、現在視聴している
チャンネルの番組の一覧や、現在視聴しているチャンネルの番組の次に放送される予定の
番組の一覧などが表示される。この例では、現在視聴しているチャンネルの番組の次に放
送される予定の番組の一覧が表示され、例えば、放送開始時刻がＰＭ９：００、放送終了
時刻がＰＭ１０：００、番組名がニュースＥ、Ｇコードが９６８２を示している。番組一
覧画面２０２の大きさは表示画面２０１の大きさの例えば１／４以下とし、番組一覧画面
２０２の表示位置は表示画面２０１上で任意に設定できるものとする。
【００４２】
図４は本実施形態のデジタル放送受信装置における番組一覧画面を表示させる処理を説
明するためのフローチャートである。このフローチャートを参照してデジタル放送受信装
置における番組一覧画面を表示させる処理について説明する。
【００４３】
先ず、テレビ放送局では、これから放送される番組の一覧を作成する。その番組のデー
タ内容は、番組の放送開始時刻と放送終了時刻と番組名とＧコードを含む。そして、テレ
ビ放送局では、そのデータを圧縮し、テレビ放送信号のＶＢＩ内に、その圧縮データを載
せて、テレビ放送信号を送信する。
【００４４】
図１のデジタル放送受信装置１００では、その圧縮データを含むテレビ放送信号をチュ
ーナ部１１２にて受信し、メモリ１１６に圧縮データを格納して展開し、番組情報として
メモリ１１６に格納しておき、ユーザから番組情報を求められた際、あるいは番組変更時
に自動表示させる設定をしていれば、表示画面上に番組情報を表示するようにする。以下
、この処理をフローチャートに従って説明する。
【００４５】
図１において、デジタル放送受信装置１００は、アンテナ１１１を介してテレビ放送電
波を受信し（ステップＳ１）、ユーザによりキー操作された操作部１２４からのチャンネ
ル選択信号に応答して、システム制御部１２３は、チューナ部１１２に対して指示するチ
ャンネルを選択させ、そのチャンネルのテレビ放送信号を抽出させる（ステップＳ２）。
【００４６】
次に、システム制御部１２３は、そのテレビ放送信号のＶＢＩ内に情報が有り（ステッ
プＳ３）、その情報は番組情報であると番組情報判定手段により判定したときに（ステッ
プＳ４）、その番組情報を第１の番組情報格納手段により一時的にメモリ１１６に格納す
る（ステップＳ５）。
【００４７】
ここで、ユーザ操作により番組一覧の表示設定がされている場合には（ステップＳ６）
、システム制御部１２３は、番組一覧画面表示手段により、メモリ１１６から番組情報を
読み出し、表示画面の所定領域の画面に番組の放送開始時刻と放送終了時刻と番組名とＧ
コードとを含む情報を示す番組一覧画面（図３参照）を表示する（ステップＳ７）。
【００４８】
この後、所定時間経過時に、例えば３０分経過時に（ステップＳ８）、システム制御部
１２３は、第２の番組情報格納手段により、３０分経過時の新たな番組情報を一時的にメ
モリ１１６に格納する（ステップＳ９）。そして、システム制御部１２３は、前記第１の
番組情報格納手段によりメモリ１１６に格納された番組情報と、前記第２の番組情報格納
手段によりメモリ１１６に格納された新たな番組情報とが同じであるか否かを番組情報比
較手段により比較する（ステップＳ１０）。
【００４９】
前記比較により両者が異なるときには、システム制御部１２３は、番組情報更新手段に
より、前記番組一覧表示させる番組情報を、前記新たにメモリ１１６に格納された番組情
報に更新する（ステップＳ１１）。そして、ユーザ操作により番組一覧の表示設定がされ
ている場合は（ステップＳ６）、更新された番組情報の番組一覧画面を表示するが（ステ
ップＳ７）、番組一覧の表示設定がされていない場合は、システム制御部１２３は、番組
情報更新表示手段により、番組情報の更新が有ったことを検出したときに（ステップＳ１
２）、前の番組情報を新たな番組情報に更新し、新たな番組情報の番組一覧画面を表示画
面に表示させる（ステップＳ７）。
【００５０】
以上説明したように本実施形態によれば、現状見ているチャンネルの番組一覧、および
次の番組の放送予定をリアルタイムに閲覧できるようになり、また、番組変更が行われて
も対応できる。即ち、従来からの電子番組案内表に比べて情報量が少なく、リアルタイム
に番組一覧画面を更新できるため、常に最新の番組一覧が入手可能になる。また、情報量
が少ないため、番組変更が行われた場合、自動的に画面表示しても画面占有量が少なくて
済み、本来の映像を妨げることなく、映像を楽しむことができる。
【００５１】
なお、本実施形態では、デジタル放送受信装置（ＢＳチューナ）を光ディスク記録再生
装置（ＤＶＤレコーダ）に備えたが、これに限らず、ハードディスクレコーダに備えても
良く、また、ＶＣＲ（ビデオカセットレコーダ）などのビデオデッキに備えても良い。ま
た、このデジタル放送受信装置（ＢＳチューナ）をテレビ受信機に備えても良い。また、
光ディスク記録再生装置（ＤＶＤレコーダ）とハードディスクレコーダとの複合装置、光
ディスク記録再生装置（ＤＶＤレコーダ）とビデオデッキとの複合装置、ハードディスク
レコーダとビデオデッキとの複合装置、更に、光ディスク記録再生装置（ＤＶＤレコーダ
）とビデオデッキとハードディスクレコーダとの複合装置に、このデジタル放送受信装置
（ＢＳチューナ）を備えても良い。
【図面の簡単な説明】
【００５２】
【図１】本発明の一実施形態に係るデジタル放送受信装置の構成を示すブロック図である。
【図２】図１で示したデジタル放送受信装置を搭載した光ディスク記録再生装置（ＤＶＤレコーダ）の構成を示すブロック図である。
【図３】前記実施形態において例えばテレビ受信機の表示画面に表示される番組一覧画面を説明するための図である。
【図４】前記実施形態のデジタル放送受信装置における番組一覧画面を表示させる処理を説明するためのフローチャートである。
【符号の説明】
【００５３】
１００    デジタル放送受信装置
１１６    メモリ
１２３    システム制御部  （番組情報判定手段、第１の番組情報格納手段、番組一覧
画面表示手段、第２の番組情報格納手段、番組情報比較手段、番組情報更新手段、番組情
報更新表示手段）
２０２    番組一覧画面
【図１】
2007020081.tif 000003
【図２】
2007020081.tif 000004
【図３】
2007020081.tif 000005
【図４】
2007020081.tif 000006